(57)【要約】【課題】  レンジフードファンを持つインテリア性を華やかに演出して、ファッションとして楽しい雰囲気を醸し出すことが可能なレンジフードファン及び映像を表示発光して楽しく調理が行えるレンジフードファンを利用した発光システムを提供する。【解決手段】  キッチンの加熱調理器具の上方に設置され、調理により発生する油煙、廃ガスを捕集排気するレンジフードファンＡのフード体１上部に載置された送風機ユニット部２又は排気ダクト３接続部等を使用者から隠蔽するために設けられる幕板４の外面に、有機ＥＬディスプレイＢを設けて、その有機ＥＬディスプレイＢを照明、映像の発光部として使用する。【選択図】  図１
2006125671.tif 000002
【特許請求の範囲】
【請求項１】
キッチンの加熱調理器具の上方に設置され、調理により発生する油煙、廃ガスを捕集排気するレンジフードファンにおいて、外面に面状発光体からなる表示手段を設けたことを特徴とするレンジフードファン。
【請求項２】
キッチンの加熱調理器具の上方に設置され、調理により発生する油煙、廃ガスを捕集排気するレンジフードファンにおけるフード体上部に載置された送風機ユニット部又は排気ダクト接続部等を使用者から隠蔽するために設けられる幕板の外面に、面状発光体からなる表示手段を設けたことを特徴とするレンジフードファン。
【請求項３】
前記面状発光体が有機ＥＬディスプレイであることを特徴とする請求項１または２記載のレンジフードファン。
【請求項４】
前記有機ＥＬディスプレイの有機ＥＬ素子の表面を耐燃焼性能の高い光透過性部材で覆っていることを特徴とする請求項３記載のレンジフードファン。
【請求項５】
少なくとも有機ＥＬディスプレイを設けるフード体部分を耐燃焼性能の高い光透過性部材からなる表裏部材の二層構造とし、該表裏部材間に有機ＥＬ素子を設けて表示手段としたことを特徴とするレンジフードファン。
【請求項６】
前記表示手段が、照明であることを特徴とする請求項１〜５いずれか１項記載のレンジフードファン。
【請求項７】
前記表示手段が、有機ＥＬディスプレイであり、画像を表示することを特徴とする請求項１または２記載のレンジフードファン。
【請求項８】
前記表示手段が、デジタル信号及びアナログ信号の一方または双方からなる伝送媒体を介して送信される情報を表示することを特徴とする請求項７記載のレンジフードファンを利用した発光システム。
【請求項９】
画像を選択可能に記憶する画像記憶装置を備え、前記表示手段が選択された静止画像を表示することを特徴とする請求項７記載のレンジフードファンを利用した発光システム。
【請求項１０】
静止画像または動画像を記憶する記憶媒体の読み出し装置を備え、前記表示手段がその読み出し装置から読み出された記憶媒体の静止画像または動画像を表示することを特徴とする請求項７記載のレンジフードファンを利用した発光システム。
【請求項１１】
デジタル信号またはアナログ信号の一方または双方の信号を伝送媒体を介して送受信する信号用送受信機を有する室外信号用送受信装置と、前記室外信号用送受信装置と前記伝送媒体を介して連結される信号用送受信機を備えた室内信号用送受信装置と、前記室内信号用送受信装置の制御を行う制御装置とを更に備え、前記表示手段が、キッチン内に設置され前記室内用信号送受信装置からの信号を再生して映像情報として表示することを特徴とする請求項７または８記載のレンジフードファンを利用した発光システム。
【発明の詳細な説明】
【技術分野】
【０００１】
本発明はレンジフードファン、更に詳しくはキッチンの使用感を向上させるレンジフードファン及びそのレンジフードファンを利用した発光システムに関するものである。
【背景技術】
【０００２】
従来、レンジフードは調理時に煮炊き具合や焼き具合を手元で見えるように加熱調理器具を照らす照明器具を備えている。
例えば、換気扇に人感センサーを設け、使用者を感知すると換気扇方向の明るさを調整する（特許文献１）。下方用の照明器具に空気清浄器を組み込む（特許文献２）。等の先行技術もその一例である。
【０００３】
しかしながら、先行技術は共に調理時に手元を明るくする主旨で照明装置が使用されている。
ところで、キッチンの天井部には蛍光灯等の照明器具が備えられ、キッチン全体に明るく照らすように設けられているが、一般的に複数の照明器具を設けることはなく、照明器具一つでキッチン全体を照射するようにキッチンのほぼ中央部に設けられており、特に夜間においては暗い雰囲気を拭いきれない。
そのため、暗い雰囲気の中にレンジフードファンが備え付けられているのが殆どである。
そして、キッチンの流し台はもとよりキッチン回りの設備についても年々デザインが進歩し、従来の機能性重視に加えて殊更華やかなインテリア性が重視される傾向になっている。
レンジフードファンもその例外ではなく、オールステンレス製の高級感を前面に打ち出した商品や、フードにガラスを設けた商品も登場しているものの、その高級感やデザイン性を有効に引き出す手段が提案されておらず、依然として機能性本位から脱却できず、その高級感やデザイン性を有効に引き出せないのが現実であった。
また、キッチンには、使用者が調理をしている最中に楽しむ手段がない現実もある。
【特許文献１】特開平８−２００７５４号公報
【特許文献２】特開平９−２８２９３４号公報
【発明の開示】
【発明が解決しようとする課題】
【０００４】
本発明は上記従来事情に鑑みてなされたもので、その目的とする処は、キッチンの使用感を向上させるレンジフードファンを提供することである。
更に詳しくは、レンジフードファンを持つインテリア性を華やかに演出して、ファッションとして楽しい雰囲気を醸し出すことが可能なレンジフードファン及び映像を表示発光して楽しく調理が行えるレンジフードファンを利用した発光システムを提供することである。
【課題を解決するための手段】
【０００５】
前記課題を解決するために講じた技術的手段は、キッチンの加熱調理器具の上方に設置され、調理により発生する油煙、廃ガスを捕集排気するレンジフードファンにおいて、外面に面状発光体からなる表示手段を設けたことを特徴とするレンジフードファンである（請求項１）。
表示手段としては、液晶ディスプレイ、ブラウン管ディスプレイ、プラズマディスプレイを使用しても良いが、有機ＥＬディスプレイが好適である（請求項３）。
有機ＥＬディスプレイは、周知の通り自発性のため視認性が良くバックライトを必要としないため、極薄である。全面をほぼ均一に発光させることが可能である。消費電力も低いので、一般の白熱電球と比して安価にレンジフードファンを発光させることができる。
そのため、レンジフードファン自体の発光によって、今まで暗い雰囲気で全影が見づらかった場所に設置されてもレンジフードファンのデザインを視認できるようになる。
有機ＥＬディスプレイは、今日では周知のように赤色、緑色及び青色の３原色の発光セルを有する有機ＥＬ素子（中心の発光層）を透明基板にマトリクス状に配置し、発光セルの集積でフルカラー表示することが可能になっており（例えば特開２００３−１５５４５号公報）、このようなフルカラー表示可能な有機ＥＬディスプレイを使用することによって、任意の色に発光させたり、模様、文字で発光させることができる。
面状発光体からなる表示手段の配設箇所は任意であるが、レンジフードファンの装飾的美観を楽しむためにはフード体の上面に配設して上方に向けて照射する。無論フード体の前面、側面にも配設して更に煌びやかにしても良いものである。
【０００６】
そして、その表示手段は、フード体上部に載置された送風機ユニット部又は排気ダクト接続部等を使用者から隠蔽するために設けられる幕板の表面に設けると好適なものである（請求項２）。
前記幕板は、丁度使用者に正対する広い平らな鉛直面である。この幕板外面全域ほぼ全域等所望面積を有機ＥＬディスプレイの配設面として有効に利用して、発光させることができる。
【０００７】
また、有機ＥＬディスプレイの有機ＥＬ素子の表面を耐燃焼性能の高い光透過性部材で覆っていると、好ましいものである（請求項４）。
有機ＥＬ素子は、湿気、酸、アルカリ等を嫌う物質であるため、通常は湿気、酸、アルカリ等から軟質樹脂フィルム等で保護しているが、キッチンで調理すると湯気の発生に伴って高湿度な状態となる。また、ガスを使用するので、燃焼に伴う酸化ガスが多量に発生し、高湿度で多量な酸化ガスに曝されることになり、有機ＥＬ素子にとって極めて悪条件である。加えて、調理で発生する油煙で汚れるフード体や幕板等を清掃する際、アルカリ性洗剤で清掃されることも多く、有機ＥＬ素子を保護するのは非常に厳しい条件下であるが有機ＥＬ素子を、耐燃焼性能の高い光透過性部材、即ち耐酸性、耐アルカリ性を有する光透過性部材で保護していると、発光機能を維持することができる。
【０００８】
また、少なくとも有機ＥＬディスプレイを設けるフード体部分を耐燃焼性能の高い光透過性部材からなる表裏部材の二層構造とし、該表裏部材間に有機ＥＬ素子を設けて表示手段としても良いものである（請求項５）。
ここで、請求項４とこの請求項５記載の耐燃焼性能の高い光透過性部材とは、耐酸性、耐アルカリ性を有する例えばガラス、耐酸性，耐アルカリ性を有する耐熱性樹脂等である。
有機素材を劣化物質（湿気、酸、アルカリ等）から保護した上フード体内外に向けて発光する。
【０００９】
また、表示手段が、有機ＥＬディスプレイであって画像を表示すること（請求項７）。詳細には画像を選択可能に記憶する画像記憶装置を備え、前記表示手段が選択された画像を表示するように構成されていたり（請求項９）、静止画像または動画像を記憶する記憶媒体の読み出し装置を備え、前記表示手段がその読み出し装置から読み出された記憶媒体の静止画像または動画像を表示すると、より好適なものである（請求項１０）。
画像記憶装置や記憶媒体にはレシピ、映画、スポーツや風景画等の使用者が好む静止画像、動画像が記憶されており、それを幕板等に表示する。
【００１０】
更に、その表示手段が、デジタル信号及びデジタル信号の一方または双方からなる伝送媒体を介して送信される情報を表示すること（請求項８）。更に詳しくはデジタル信号またはアナログ信号の一方または双方の信号を伝送媒体を介して送受信する信号用送受信機を有する室外信号用送受信装置と、前記室外信号用送受信装置と前記伝送媒体を介して連結される信号用送受信機を備えた室内信号用送受信装置と、前記室内信号用送受信装置の制御を行う制御装置とを更に備え、前記表示手段が、キッチン内に設置され前記室内用信号送受信装置からの信号を再生して映像として表示するようにすると良いものである（請求項１１）。
前記表示手段は、音響発生手段をも具備し、音を発するスピーカーで構成されている。
キッチン使用者は、幕板等に映し出されるテレビ番組、新聞情報等をレンジフードファンに映し出して観ることができる。
【発明の効果】
【００１１】
本発明は以上のように構成したから下記の利点がある。
（請求項１、３）
面状発光体からなる表示手段でレンジフードファンから発光するようにしているので、レンジフードファンのデザインをキッチン使用者に堪能させることが可能である。
しかも、従来ではキッチン備えた照明装置では行き届かなかったキッチン天井、隣設するウォールキャビネット等の収容部も明るくするので、レンジフードファンとのコーディネートも楽しめ、キッチンに高級感と豪華性を付与できる。
その上、その面状発光体からなる表示手段が有機ＥＬディスプレイであると、レンジフードファン使用時、又はインテリアの一部として、レンジフードファンの所要の面ほぼ全域から均一な照度をもって任意な色、模様等で発光させ、レンジフードファンの商品価値を大幅に高揚することができる。
また、例えばレンジフードファンのフード体にガラス部を設け、そのガラス部を蛍光灯等の照明装置で光らせたりすることも提案されるが、ガラス部全面から均一に光を照射するには、蛍光灯等の複数の照明装置を設けるか、照明装置を設けた上にガラス部にサンドブラスト技法等でエッチング加工を施して光の透過率を調整する必要があるが、前者ではガラス部全面から均一に光を照射するには複数の照明装置が必要でコストアップになるし、後者のエッチング加工では、光の透過率を下げるために光の強度が弱くなり、より消費電力の高い照明装置を使用する必要が生じるが、有機ＥＬディスプレイは消費電力が低く、発光によって今まで暗い雰囲気で全影が見づらかった場所に設置されてもデザインを楽しむことができる。
（請求項２、３）
また、フード体から立設する幕板の外表面を利用して有機ＥＬディスプレイが配設されていると、丁度使用者が正対する箇所の広い鉛直状の平面が広い発光面となり、よりのゴージャスな発光具合を楽しむことができる。
（請求項４）
調理による高湿度下、燃焼に伴う多量な酸化ガス発生下であったり、アルカリ性の洗剤で清掃するというキッチン特有の特殊環境下であっても、有機ＥＬ素子を保護し、所定の発光機能を維持する耐久性を発揮する。
（請求項５）
有機ＥＬ素子を、湿度、酸、アルカリ等の劣化物質から保護して、加熱調理器具を照らす手段とレンジフードファンをライトアップしたり近辺を明るくするための手段として兼務でき、製品コストの低減、消費電力の低減を図る。
（請求項７、９、１０等）
しかも、静止画像または動画像を表示するので、その画像がレシピであれば、料理の本を片手に調理する面倒さを無くし調理し易くするし、使用者が好む映画（ドラマを含む）、スポーツ等の動画像を調理中に楽しむことも可能であるし、風景画等を表示させることによって、ゆったりとした雰囲気の中で調理を楽しむこともできる。
（請求項８、１１等）
また、レンジフードファンの表面でテレビ番組や新聞情報等が楽しめ、ゴージャスである。
【発明を実施するための最良の形態】
【００１２】
次に本発明レンジフードファン及びそのレンジフードファンを利用した発光システムの実施の形態を説明すると、図１〜図４はその第１の実施の形態を、図５は第２の実施の形態を、図６は第３の実施の形態を各々示している。まず第１の実施の形態を説明すると、符号Ａはレンジフードファンである。
【実施例１】
【００１３】
レンジフードファンＡは、下面を開放した扁平薄箱状のフード体１の天板部に送風機ユニット部２を設置し、その送風機ユニット部２及び排気ダクト３の接続部と共にその排気ダクト３を使用者から隠蔽するためにその前方から幕板４を立設し、下面開放部に凹状のフードカバー５を設けてそのフードカバー５を加熱調理で発生した汚染空気の捕獲空間（汚染空気捕獲部）Ｓとし、そのフードカバー５の天面部（底面）に吸込口６を開設して吸込口部材１６としてフィルタや目隠し部材を係脱可能に備え、そのフィルタや目隠し部材を整流板７で下方から視認不能に隠蔽したタイプを示している。
レンジフードファンＡとしては、ブーツ型と呼称されるタイプ、平型と呼称されるタイプ、アイランド用、システムキッチン用等、図示するタイプのものに限定されるものではないものである。
【００１４】
図１に示すように、レンジフードファンＡは、この実施の形態では鉛直状の平面である幕板４の外表面に面状発光体からなる表示手段Ｂとして有機ＥＬからなるディスプレイ（後述では符号Ｂを付して説明する）を配設している。
【００１５】
この有機ＥＬディスプレイＢは、有機ＥＬ素子部ｂの表面側を耐燃焼性能の高い光透過性部材ｂ１、即ち透明ガラスや、耐酸性，耐アルカリ性を有する透明な耐熱性樹脂で気密に覆ってパネル状に形成してなり、幕板４の外表面に配設されている。有機ＥＬ素子部ｂの裏面側は、耐燃焼性能の高い光不透過性部材、即ち不透明ガラスや、耐酸性，耐アルカリ性を有する不透明な耐熱性樹脂からなる保護層ｂ２を介在している。
この有機ＥＬディスプレイＢの配設箇所は、レンジフードファンの形態によって適宜選択することとし、無論幕板がないブーツ型では前板、前板がない平型等ではフード体の前面部分等を有効利用する。
そして、有機ＥＬ素子部ｂに駆動電圧を印加して、任意な色で発光させたり、模様、文字をもって発光できるようにする。
【００１６】
また、この有機ＥＬディスプレイＢを配設したレンジフードファンＡは、発光システムの構成部材として利用されている。
この発光システムは、室外信号用送受信装置８と、その室外信号用送受信装置８と前記伝送媒体９を介して連結される室内信号用送受信装置１０と、前記室内信号用送受信装置１０の制御を行う制御装置１１と、前記表示手段として前記有機ＥＬディスプレイＢ及びスピーカー１２とを備えている。
更に、画像を選択可能に記憶する画像記憶装置１３を制御装置１１に連結して備えて、その記憶画像を前記有機ＥＬディスプレイＢで表示可能にしている。
その上、静止画像または動画像を記憶するＣＤ−ＲＯＭ、ＤＶＤ等の記憶媒体の読み出し装置（プレーヤー）１４を備えて、その静止画像、動画像を有機ＥＬディスプレイＢに表示できるようにしている。
【００１７】
前記室外信号用送受信装置８は、キッチンＫの外、例えば居室等に設置されており、デジタル信号及びアナログ信号を一方または双方の信号を伝送媒体９として送受信する信号用送受信機を備えている。
本実施の形態では伝送媒体９して伝送線を使用して映像情報、音情報の双方を得ることができるようにしている。
【００１８】
レンジフードファンＡにおいて操作部１００に隣設するフード体１の前面位置には、複数のアイコンが表示される画面を備えた表示専用の操作盤１５が配置されていて、使用者（調理者）自信が操作可能になっている。
この操作盤１５には、前記制御装置１１、前記読み出し装置（プレーヤー）１４が連結されており、前記室外信号用送受信装置８と伝送媒体９を介して連結される信号送受信機を備えた室内信号用送受信装置１０及び画像記憶装置１３、読み出し装置（プレーヤー）１４の制御がその操作で人為的に行えるようになっている
【００１９】
その操作盤１５の画面には、テレビ（ＴＶ）、新聞、レシピ、映画、スポーツ、風景、照明等の各アイコンが各々表示されている。
そして、この操作盤１５画面はタッチパネルになっており、タッチ選択で、必要とする情報を室外信号用送受信装置８から室内信号用送受信装置１０を介して表示したり、所望するレシピ、映画、スポーツ、風景を動画像や静止画像で表示したり、好みの色、模様の照明を点灯する。
【００２０】
スピーカー１２は、この実施の形態にでは操作盤１５に組み込まれ、前記画面から表示されるテレビ画像、スポーツ画像、映画等と同一の音を発するようになっている。
【００２１】
尚、一般に幕板４は、フード体１の上方で後方寄りに立設されて外前面全体が視野に入らない。そのため外前面全域から表示すると、表示内容が画像の場合にはフード体１が死角になって見えなくなる間係上、使用者の自然な視野範囲を画像の表示範囲にするのが好ましいものである。
また、図１の二点鎖線で示すようにフード体１の前面と同面またはほぼ同面若しくは僅か後方位置からディスプレイ用板１７を立設し、その板１７に有機ＥＬディスプレイＢを配設する構成を採用しても良いものである。このようにすると、ディスプレイ用板１７全域が使用者（調理者）の視野に入るため、その全体からレシピ、映画、スポーツ、景色等は勿論のこと、テレビ情報、新聞情報等を楽しむことができる。この場合、ディスプレイ用板１７を幕板４として兼用しても良いものである。またディスプレイ用板１７を下向きに傾斜動量制御可能にしたり、水平方向回動量制御可能にして、使用者（調理者）が見易い方向を向くようにしても良いものである。その場合、操作盤１５に専用のタッチスイッチを設けて制御できるようにするのが好ましいものである。
また、フード体１の前面には送風機を作動・停止するスイッチ等の前記操作部１００が配設されていることが多く、その隣設する余白を前記有機ＥＬディスプレイＢの配設箇所としても良いものである。
【実施例２】
【００２２】
次に図５に示す第２の実施の形態を説明すると、この実施の形態は、フード体１において有機ＥＬディスプレイＢを設ける部分を光透過性のガラスや、耐酸性，耐アルカリ性を有する光透過性の耐熱性樹脂からなる二層構造とし、該表裏部材１’、１”間に有機ＥＬ素子を挟持状に介在して照明用の有機ＥＬディスプレイＢを構成し、そこからフード体１の内外に向けて光を照射するようにしたものである。
この場合には、有機ＥＬディスプレイＢは、有機ＥＬ素子ｂ、ｂを中間に保護層ｂ’を介して背中合わせ状に設けて、両有機ＥＬ素子ｂ、ｂから逆方向に発光するようにしている。
【実施例３】
【００２３】
次に図６に示す第３の実施の形態を説明すると、この実施の形態は、例えばダイニングルームの天井から排気ダクト１８を上下伸縮可能に設け、その排気ダクト１８に煙捕獲部である湾曲状のフード体１を連絡したレンジフードファンＡを示しており、そのフード体１を前記する第２の実施の形態と同様に光透過性のガラスや、耐酸性，耐アルカリ性を有する光透過性の耐熱性樹脂からなる二層構造とし、該表裏部材１’、１”間に前記有機ＥＬ素子ｂ、ｂを中間に保護層ｂ’を介して背中合わせ状に介在してフード体１内外に照射する照明用の有機ＥＬディスプレイＢを構成している。
無論、この実施の形態では、図示しないが天井にその排気ダクト１８に連絡して排気装置（図示せず）を設置し、排気ダクト１８に連絡して屋外への連通ダクト（図示せず）を配管している。
【００２４】
前述では、表示内容をフード体１に付設する操作盤１５によるタッチ操作で制御、選択可能にしているが、レンジフードファンＡの作動と共に、有機ＥＬディスプレイＢのその表示内容の切替え、読み出し装置１４の記憶媒体の交換等をリモコン操作で遠隔操作可能にしても自由なものである。
【図面の簡単な説明】
【００２５】
【図１】第１の実施の形態のレンジフードファンの斜視図。
【図２】要部の部分拡大断面図。
【図３】レンジフードファンを利用した発光システムのブロック図。
【図４】操作盤の拡大正面図。
【図５】第２の実施の形態のレンジフードファンの縦断面図。
【図６】第３の実施の形態のレンジフードファンの斜視図で一部切欠して示す。
【符号の説明】
【００２６】
Ａ：レンジフードファン                    Ｋ：キッチン
Ｂ：表示手段（有機ＥＬディスプレイ（面状発光体））
１：フード体                              ２：送風機ユニット部
３：排気ダクト                          ｂ１：耐燃焼性能が高い光透過性部材
９：伝送媒体                            １３：画像記憶装置
８：室外信号用送受信装置                １０：室内用信号送受信装置
１１：制御装置                            １５：操作盤
１４：読み出し装置                  １’、１”：表裏部材
ｂ：有機ＥＬ素子                        １２：スピーカー
【図１】
2006125671.tif 000003
【図２】
2006125671.tif 000004
【図３】
2006125671.tif 000005
【図４】
2006125671.tif 000006
【図５】
2006125671.tif 000007
【図６】
2006125671.tif 000008